(57)【要約】【課題】冷房又は暖房運転の立ち上げを速くすることができる空調装置を提供する。【解決手段】空調装置は、運転周波数の変更が可能な圧縮機と、冷房又は暖房運転の開始時に圧縮機の運転周波数が必要運転周波数になるまで上昇させる圧縮機保護制御を実行する制御部とを備える。圧縮機保護制御は、圧縮機の起動から必要運転周波数に達するまでの時間が相対的に長くなるように圧縮機の運転周波数を制御する第１保護制御と、圧縮機の起動から必要運転周波数に達するまでの時間が相対的に短くなるように圧縮機の運転周波数を制御する第２保護制御とを含む。そして制御部は、圧縮機保護制御の実行時に所定条件を満たす場合に第２保護制御を実行する。【選択図】  図７
2019082279.tif 000002
【特許請求の範囲】
【請求項１】
運転周波数の変更が可能な圧縮機（１１）と、冷房又は暖房運転の開始時に前記圧縮機（１１）の運転周波数を必要運転周波数（ＦＮ）になるまで上昇させる圧縮機保護制御を実行する制御部（５０）とを備え、
前記圧縮機保護制御は、前記圧縮機（１１）の起動から前記必要運転周波数（ＦＮ）に達するまでの時間が相対的に長くなるように前記圧縮機（１１）の運転周波数を制御する第１保護制御と、前記圧縮機（１１）の起動から前記必要運転周波数（ＦＮ）に達するまでの時間が相対的に短くなるように前記圧縮機（１１）の運転周波数を制御する第２保護制御とを有し、
前記制御部（５０）は、前記圧縮機保護制御の実行時に所定条件を満たす場合に前記第２保護制御を実行する
空調装置。
【請求項２】
前記制御部（５０）は、前記圧縮機保護制御において、第１目標周波数（ＦＡ１，ＦＸ１）と、前記第１目標周波数（ＦＡ１，ＦＸ１）よりも大きく前記必要運転周波数（ＦＮ）よりも小さい第２目標周波数（ＦＡ２，ＦＸ２）とを設定し、前記圧縮機（１１）の運転周波数を前記第１目標周波数（ＦＡ１，ＦＸ１）に第１期間（ＴＡ１，ＴＸ１）に亘り維持し、前記圧縮機（１１）の運転周波数を前記第２目標周波数（ＦＡ２，ＦＸ２）に第２期間（ＴＡ２，ＴＸ２）に亘り維持することにより、前記圧縮機（１１）の運転周波数を段階的に上昇させ、
前記第２保護制御における前記第１目標周波数（ＦＡ１）は、前記第１保護制御における前記第１目標周波数（ＦＸ１）よりも大きく、
前記第２保護制御における前記第２目標周波数（ＦＡ２）は、前記第１保護制御における前記第２目標周波数（ＦＸ２）よりも大きい
請求項１に記載の空調装置。
【請求項３】
前記制御部（５０）は、前記圧縮機保護制御において、第１目標周波数（ＦＡ１，ＦＸ１）と、前記第１目標周波数（ＦＡ１，ＦＸ１）よりも大きく前記必要運転周波数（ＦＮ）よりも小さい第２目標周波数（ＦＡ２，ＦＸ２）とを設定し、前記圧縮機（１１）の運転周波数を前記第１目標周波数（ＦＡ１，ＦＸ１）に第１期間（ＴＡ１，ＴＸ１）に亘り維持し、前記圧縮機（１１）の運転周波数を前記第２目標周波数（ＦＡ２，ＦＸ２）に第２期間（ＴＡ２，ＴＸ２）に亘り維持することにより、前記圧縮機（１１）の運転周波数を段階的に上昇させ、
前記第２保護制御における前記第１期間（ＴＡ１）は、前記第１保護制御における前記第１期間（ＴＸ１）よりも短く、
前記第２保護制御における前記第２期間（ＴＡ２）は、前記第２保護制御における前記第２期間（ＴＸ２）よりも短い
請求項１又は２に記載の空調装置。
【請求項４】
前記暖房運転時における前記所定条件と、前記冷房運転時における前記所定条件とが異なる
請求項１〜３のいずれか一項に記載の空調装置。
【請求項５】
前記所定条件は、室内空気の温度（ＤＡ）、室外空気の温度（ＤＯＡ）、及び前記室内空気の温度と前記室外空気の温度との温度差（ＤＡ−ＤＯＡ）を含む
請求項１〜４のいずれか一項に記載の空調装置。
【請求項６】
前記暖房運転時における前記所定条件は、前記室内空気の温度（ＤＡ）が室温閾値（ＤＡＸ１，ＤＡＸ２）以下であり、前記室外空気の温度（ＤＯＡ）が外気温度閾値（ＤＯＡＸ１，ＤＯＡＸ２）以上であり、前記室内空気の温度（ＤＡ）と前記室外空気の温度（ＤＯＡ）との温度差（ＤＡ−ＤＯＡ）が温度差閾値（ＤＤＸ１，ＤＤＸ２）以下である
請求項５に記載の空調装置。
【請求項７】
前記所定条件は、前記圧縮機の吐出管の温度（ＤＦ）及び室外空気の温度（ＤＯＡ）を含む
請求項１〜６のいずれか一項に記載の空調装置。
【発明の詳細な説明】
【技術分野】
【０００１】
本発明は、空調装置に関する。
【背景技術】
【０００２】
従来から空調装置では、冷房又は暖房運転の開始時に、圧縮機への液戻りを防止するために、圧縮機が起動してから所定時間に亘り圧縮機の運転周波数を低くする起動運転が行われている（例えば特許文献１参照）。
【先行技術文献】
【特許文献】
【０００３】
【特許文献１】特開平６−３４１７２０号公報
【発明の概要】
【発明が解決しようとする課題】
【０００４】
ところで、冷房又は暖房運転の開始時に、圧縮機への液戻りが必ず発生するとは限らない。すなわち、冷房又は暖房運転の開始時の圧縮機の周囲環境によっては、圧縮機への液戻りの生じる可能性が小さい場合がある。このような場合でも圧縮機の運転周波数を低くする起動運転を行うと、圧縮機を起動してから室内温度が設定温度になるまでの時間が長くなり、冷房又は暖房運転の立ち上げを速くすることが困難であった。
【０００５】
本発明は、このような事情に鑑みてなされたものであって、冷房又は暖房運転の立ち上げを速くすることができる空調装置を提供することを目的とする。
【課題を解決するための手段】
【０００６】
この課題を解決する空調装置は、運転周波数の変更が可能な圧縮機と、冷房又は暖房運転の開始時に前記圧縮機の運転周波数を必要運転周波数になるまで上昇させる圧縮機保護制御を実行する制御部とを備え、前記圧縮機保護制御は、前記圧縮機の起動から前記必要運転周波数に達するまでの時間が相対的に長くなるように前記圧縮機の運転周波数を制御する第１保護制御と、前記圧縮機の起動から前記必要運転周波数に達するまでの時間が相対的に短くなるように前記圧縮機の運転周波数を制御する第２保護制御とを有し、前記制御部は、前記圧縮機保護制御の実行時に所定条件を満たす場合に前記第２保護制御を実行する。
【０００７】
この構成によれば、圧縮機保護制御の実行時に所定条件を満たす場合に第２保護制御を実行することにより、圧縮機が起動してから圧縮機の運転周波数が必要運転周波数に達するまでの時間が短くなる。これにより、冷房又は暖房運転を開始してから室内温度が設定温度に達するまでの時間を短くすることができ、冷房又は暖房運転の立ち上げを速くすることができる。
【０００８】
ここで、所定条件とは、圧縮機の起動時において圧縮機の運転周波数を急峻に上げることによって、圧縮機内の油面の低下や冷媒戻りに起因する希尺度進行、圧縮機への液戻り、室外熱交換器及び室内熱交換器において蒸発器として機能する熱交換器の氷結、圧縮機の吸入側が負圧になる等の圧縮機の不具合が発生する可能性が低くなる条件である。
【０００９】
上記空調装置において、前記制御部は、前記圧縮機保護制御において、第１目標周波数と、前記第１目標周波数よりも大きく前記必要運転周波数よりも小さい第２目標周波数とを設定し、前記圧縮機の運転周波数を前記第１目標周波数に第１期間に亘り維持し、前記圧縮機の運転周波数を前記第２目標周波数に第２期間に亘り維持することにより、前記圧縮機の運転周波数を段階的に上昇させ、前記第２保護制御における前記第１目標周波数は、前記第１保護制御における前記第１目標周波数よりも大きく、前記第２保護制御における前記第２目標周波数は、前記第１保護制御における前記第２目標周波数よりも大きいことが好ましい。
【００１０】
この構成によれば、第２保護制御によって圧縮機が起動してから圧縮機の運転周波数が必要運転周波数に達するまでの時間が短くなる。したがって、冷房又は暖房運転の立ち上げを速くすることができる。
【００１１】
上記空調装置において、前記制御部は、前記圧縮機保護制御において、第１目標周波数と、前記第１目標周波数よりも大きく前記必要運転周波数よりも小さい第２目標周波数とを設定し、前記圧縮機の運転周波数を前記第１目標周波数に第１期間に亘り維持し、前記圧縮機の運転周波数を前記第２目標周波数に第２期間に亘り維持することにより、前記圧縮機の運転周波数を段階的に上昇させ、前記第２保護制御における前記第１期間は、前記第１保護制御における前記第１期間よりも短く、前記第２保護制御における前記第２期間は、前記第２保護制御における前記第２期間よりも短いことが好ましい。
【００１２】
この構成によれば、第２保護制御によって圧縮機が起動してから圧縮機の運転周波数が必要運転周波数に達するまでの時間が短くなる。したがって、冷房又は暖房運転の立ち上げを速くすることができる。
【００１３】
上記空調装置においては、前記暖房運転時における前記所定条件と、前記冷房運転時における前記所定条件とが異なることが好ましい。
この構成によれば、冷房又は暖房運転時において第２保護制御を適切に実行することができる。
【００１４】
上記空調装置において、前記所定条件は、室内空気の温度、室外空気の温度、及び前記室内空気の温度と前記室外空気の温度との温度差を含むことが好ましい。
上記空調装置において、前記暖房運転時における前記所定条件は、前記室内空気の温度が室温閾値以下であり、前記室外空気の温度が外気温度閾値以上であり、前記室内空気の温度と前記室外空気の温度との温度差が温度差閾値以下であることが好ましい。
【００１５】
この構成によれば、圧縮機保護制御において圧縮機への液戻り等の圧縮機の不具合の発生を抑制することができる条件を、空調装置の情報として取得し易い室内空気の温度及び室外空気の温度を用いて設定することができる。
【００１６】
上記空調装置において、前記所定条件は、前記圧縮機の吐出管の温度及び室外空気の温度を含むことが好ましい。
この構成によれば、冷房又は暖房運転時において第２保護制御をより適切に実行することができる。
【発明の効果】
【００１７】
上記空調装置によれば、冷房又は暖房運転の立ち上げを速くすることができる。
【図面の簡単な説明】
【００１８】
【図１】第１実施形態の空調装置を概念的に示す構成図。
【図２】空調装置の電気的構成を示すブロック図。
【図３】圧縮機保護制御における圧縮機の運転周波数の推移を示すグラフ。
【図４】室内温度、外気温度、及び室内温度と外気温度との温度差と、圧縮機の不具合の可能性との関係を示すグラフ。
【図５】暖房運転時における第１保護制御と第２保護制御を選択するためのマップ。
【図６】冷房運転時における第１保護制御と第２保護制御を選択するためのマップ。
【図７】空調装置が実行する第１起動制御の処理手順を示すフローチャート。
【図８】第２実施形態の空調装置における第２起動制御の処理手順を示すフローチャート。
【図９】変形例の空調装置における圧縮機の吐出管の温度と外気温度との関係を示すマップ。
【発明を実施するための形態】
【００１９】
（第１実施形態）
以下、図面を参照して、空調装置１について説明する。
図１に示すように、空調装置１は、屋外に設置される室外機１０と、屋内の壁面等に取り付けられる壁掛け型の室内機２０とが冷媒配管３０によって接続されることにより形成された冷媒回路４０を備える。
【００２０】
室外機１０は、運転周波数の変更が可能な圧縮機１１、四路切換弁１２、室外熱交換器１３、膨張弁１４、室外送風機１５、室外制御装置１６等を備える。室外送風機１５は、駆動源として回転速度を変更可能なモータ１５ａと、モータ１５ａの出力軸に接続された羽根車１５ｂとを有する。羽根車１５ｂの一例はプロペラファンである。
【００２１】
圧縮機１１は、例えば揺動ピストン型の圧縮機であり、圧縮機構、モータ、モータの駆動力を圧縮機構に伝達するクランク軸（ともに図示略）等を備える。圧縮機１１は、冷媒を気液分離するためのアキュームレータ１１ａを備える。モータの一例は、３相ブラシレスモータである。膨張弁１４は、例えば電子膨張弁である。室外送風機１５は、室外熱交換器１３の伝熱管を流れる冷媒と室外空気との熱交換を促進させるため、モータ１５ａにより羽根車１５ｂを回転させることにより室外熱交換器１３を通過する室外空気の気流を発生させる。室外制御装置１６は、圧縮機１１のモータ、四路切換弁１２、膨張弁１４、及び室外送風機１５のモータ１５ａと電気的に接続されている。
【００２２】
室内機２０は、室内熱交換器２１、室内送風機２２、室内制御装置２３等を備える。室内送風機２２は、駆動源として回転速度を変更可能なモータ２２ａと、モータ２２ａの出力軸に接続された羽根車（図示略）とを有する。羽根車の一例は、横流ファンである。室内送風機２２は、室内熱交換器２１の伝熱管を流れる冷媒と室内空気との熱交換を促進するため、モータ２２ａにより羽根車を回転させることにより室内熱交換器２１を通過する室内空気の気流を発生させる。室内制御装置２３は、室内送風機２２のモータ２２ａと電気的に接続されている。室内制御装置２３は、例えば空調装置１のリモートコントローラ５１（図２参照）と赤外線等により無線通信が可能なように構成されている。室内制御装置２３は、室外制御装置１６と信号線により有線通信が可能なように構成されている。これにより、リモートコントローラ５１による運転指示に基づいて室内制御装置２３が室内機２０を制御し、室外制御装置１６が室外機１０を制御する。
【００２３】
冷媒回路４０は、圧縮機１１、四路切換弁１２、室外熱交換器１３、及び膨張弁１４と、室内熱交換器２１とを冷媒配管３０によって環状に接続したものであって、四路切換弁１２を切り換えることにより、冷媒を可逆的に循環させるようにした蒸気圧縮式冷凍サイクルを実行することができる。
【００２４】
すなわち、四路切換弁１２が冷房モード接続状態（図示実線の状態）に切り換えられることにより、冷媒回路４０は、圧縮機１１、四路切換弁１２、室外熱交換器１３、膨張弁１４、室内熱交換器２１、四路切換弁１２、及び圧縮機１１の順に冷媒が循環する冷房サイクルが形成される。これにより、空調装置１では、室外熱交換器１３が凝縮器とし、室内熱交換器２１が蒸発器として作用させる冷房運転が行われる。また、四路切換弁１２が暖房モード接続状態（図示破線の状態）に切り換えられることにより、冷媒回路４０は、圧縮機１１、四路切換弁１２、室内熱交換器２１、膨張弁１４、室外熱交換器１３、四路切換弁１２、及び圧縮機１１の順に冷媒が循環する暖房サイクルが形成される。これにより、空調装置１では、室内熱交換器２１が凝縮器とし、室外熱交換器１３が蒸発器として作用させる暖房運転が行われる。
【００２５】
図２に示すように、空調装置１を制御する制御部５０は、室外制御装置１６及び室内制御装置２３を含んで構成されている。室外制御装置１６及び室内制御装置２３のそれぞれは、例えば予め定められる制御プログラムを実行する演算処理装置及び記憶部を含む。演算処理装置は、例えばＣＰＵ（Central Processing Unit）またはＭＰＵ（Micro Processing Unit）を含む。記憶部には、各種の制御プログラムおよび各種の制御処理に用いられる情報が記憶される。記憶部は、例えば不揮発性メモリおよび揮発性メモリを含む。
【００２６】
制御部５０には、リモートコントローラ５１、室内温度センサ５２、室外温度センサ５３、及び吐出管温度センサ５４が通信可能に接続されている。
より詳細には、制御部５０は、リモートコントローラ５１（図３参照）と例えば赤外線等により無線通信が可能なように構成されている。すなわちリモートコントローラ５１の運転指示（冷房運転、暖房運転等の指示）や運転停止指示の信号を制御部５０に出力する。室内温度センサ５２、室外温度センサ５３、及び吐出管温度センサ５４は、制御部５０と電気的に接続されている。室内温度センサ５２は、室内空気の温度（室内温度）を測定するためのセンサであり、例えば室内機２０の吸い込み口付近に設けられている。室内温度センサ５２は、室内温度に応じた信号を制御部５０に出力する。室外温度センサ５３は、室外空気の温度（室外温度）を測定するためのセンサであり、例えば室外機１０の吸い込み口付近に設けられている。室外温度センサ５３は、室外温度に応じた信号を制御部５０に出力する。吐出管温度センサ５４は、圧縮機１１の吐出管の温度、すなわち圧縮機１１から吐出された吐出ガス冷媒の温度を測定するためのセンサである。吐出管温度センサ５４は、圧縮機１１の吐出管に取り付けられている。吐出管温度センサ５４は、圧縮機１１の吐出ガス冷媒の温度に応じた信号を制御部５０に出力する。このように、制御部５０には、リモートコントローラ５１、室内温度センサ５２、室外温度センサ５３、及び吐出管温度センサ５４から各種の信号（運転指示や測定情報）が入力される。そして制御部５０は、室内温度センサ５２の測定情報に基づいて室内温度（以下、「室内温度ＤＡ」）を取得し、室外温度センサ５３の測定情報に基づいて室外温度（以下、「外気温度ＤＯＡ」）を取得し、吐出管温度センサ５４の測定情報に基づいて圧縮機１１の吐出管の温度ＤＦ（吐出ガス冷媒の温度）を取得する。
【００２７】
また室内制御装置２３と室外制御装置１６とが電気的に接続されているため、室内制御装置２３が受信した運転指示及び室内温度ＤＡを室外制御装置１６に出力することができる。また、室外制御装置１６が受信した外気温度ＤＯＡ及び圧縮機１１の吐出管の温度ＤＦを室内制御装置２３に出力することができる。
【００２８】
室内制御装置２３は、リモートコントローラ５１の運転指示や測定情報に基づいて室内送風機２２のモータ２２ａの回転速度を制御する。
室外制御装置１６は、リモートコントローラ５１の運転指示や測定情報に基づいて圧縮機１１の運転周波数、四路切換弁１２の冷房モード接続状態と暖房モード接続状態との切り換え、膨張弁１４の開度、及び室外送風機１５のモータ１５ａの回転速度を制御する。
【００２９】
制御部５０は、室内制御装置２３及び室外制御装置１６を通じて、リモートコントローラ５１の運転指示及び測定情報に基づいて、冷房運転及び暖房運転を実行する。制御部５０は、冷房運転及び暖房運転において、リモートコントローラ５１によって設定された室内温度になるように、圧縮機１１、膨張弁１４、室外送風機１５、及び室内送風機２２を制御する。
【００３０】
制御部５０は、冷房運転及び暖房運転において、圧縮機１１の運転周波数を上昇させるときの上昇速度、及び運転周波数を低下させるときの低下速度を互いに等しくなるように設定している。これら上昇速度及び低下速度といった冷房運転及び暖房運転における圧縮機１１の運転周波数の変更速度の一例は、毎秒２Ｈｚである。
【００３１】
また、制御部５０は、冷房又は暖房運転の運転開始時における圧縮機１１の起動時において、圧縮機１１の低い運転周波数を、冷房又は暖房運転に必要な運転周波数（以下、「必要運転周波数ＦＮ」）に達するように上昇させる。この場合、制御部５０は、圧縮機１１の起動時において圧縮機１１の不具合を回避することを目的として、圧縮機１１の運転周波数を低い運転周波数で開始し、時間の経過とともに圧縮機１１の運転周波数を圧縮機１１の安定運転に必要な必要運転周波数ＦＮに達するまで段階的に上昇させる圧縮機保護制御を実行する。なお、圧縮機１１の不具合としては、圧縮機１１の起動時において圧縮機１１の運転周波数を急峻に上げることによって、圧縮機１１内の油面の低下や冷媒戻りに起因する希尺度進行、圧縮機１１への液戻り、室外熱交換器１３及び室内熱交換器２１において蒸発器として機能する熱交換器の氷結、圧縮機１１の吸入側が負圧になることが挙げられる。
【００３２】
図３の破線により示すグラフＧＸは、一般的な圧縮機保護制御を説明するための模式的なグラフである。
図３のグラフＧＸに示すとおり、圧縮機保護制御では、圧縮機１１の運転周波数が必要運転周波数ＦＮに達するまでに複数段の目標周波数を所定時間に亘り維持するように変更される。詳述すると、制御部５０は、圧縮機保護制御において、第１目標周波数ＦＸ１、第１目標周波数ＦＸ１よりも高い第２目標周波数ＦＸ２、第２目標周波数ＦＸ２よりも高い第３目標周波数ＦＸ３、及び第３目標周波数ＦＸ３よりも高い第４目標周波数ＦＸ４を記憶している。制御部５０は、時刻ｔ１において圧縮機１１の運転周波数が第１目標周波数ＦＸ１となるように圧縮機１１を駆動させ、時刻ｔ１から時刻ｔ３までの期間において圧縮機１１の運転周波数が第１目標周波数ＦＸ１を維持するように圧縮機１１を駆動させる。制御部５０は、時刻ｔ３において圧縮機１１の運転周波数が第１目標周波数ＦＸ１から第２目標周波数ＦＸ２となるように圧縮機１１を駆動させ、時刻ｔ３から時刻ｔ５までの期間において圧縮機１１の運転周波数が第２目標周波数ＦＸ２を維持するように圧縮機１１を駆動させる。制御部５０は、時刻ｔ５において圧縮機１１の運転周波数が第２目標周波数ＦＸ２から第３目標周波数ＦＸ３となるように圧縮機１１を駆動させ、時刻ｔ５から時刻ｔ６までの期間において圧縮機１１の運転周波数が第３目標周波数ＦＸ３を維持するように圧縮機１１を駆動させる。制御部５０は、時刻ｔ６において圧縮機１１の運転周波数が第３目標周波数ＦＸ３から第４目標周波数ＦＸ４となるように圧縮機１１を駆動させ、時刻ｔ６から時刻ｔ７までの期間において圧縮機１１の運転周波数が第４目標周波数ＦＸ４を維持するように圧縮機１１を駆動させる。制御部５０は、時刻ｔ７において圧縮機１１の運転周波数が第４目標周波数ＦＸ４から必要運転周波数ＦＮとなるように圧縮機を駆動させる。
【００３３】
なお、図３のグラフＧＸにおいて、第２目標周波数ＦＸ２と第１目標周波数ＦＸ１との差（ＦＸ２−ＦＸ１）と、第３目標周波数ＦＸ３と第２目標周波数ＦＸ２との差（ＦＸ３−ＦＸ２）と、第４目標周波数ＦＸ４と第３目標周波数ＦＸ３との差（ＦＸ４−ＦＸ３）とは互いに等しい。また、圧縮機１１の運転周波数が第１目標周波数ＦＸ１を維持する第１期間ＴＸ１と、第２目標周波数ＦＸ２を維持する第２期間ＴＸ２と、第３目標周波数ＦＸ３を維持する第３期間ＴＸ３と、第４目標周波数ＦＸ４を維持する第４期間ＴＸ４とは互いに等しい。
【００３４】
ところで、冷房又は暖房運転の運転開始時に圧縮機保護制御を実行する場合、圧縮機１１の不具合を回避することができる一方、図３のグラフＧＸのように圧縮機１１の運転周波数を徐々に上昇させるため、ユーザがリモートコントローラ５１により冷房又は暖房運転を指示してから室内空気の温度が設定温度になるまでの時間が長くなってしまう。すなわち、冷房又は暖房運転の運転開始時における冷房又は暖房運転の立ち上げが困難であり、その結果、冷房又は暖房運転の運転開始時における冷房能力又は暖房能力が低下してしまう。
【００３５】
一方、圧縮機１１の周囲環境（室外空気の温度や室内空気の温度）によっては圧縮機１１の不具合が発生する可能性が低い場合がある。圧縮機１１の不具合が発生する可能性が低い場合でも、図３のグラフＧＸに示す圧縮機保護制御を実行すると、圧縮機１１の不具合が発生し難いにもかかわらず、冷房能力又は暖房能力が低下する圧縮機１１の運転を実行することになる。
【００３６】
この点に鑑みて、本実施形態では、制御部５０は、圧縮機１１の不具合が発生する可能性が高いか低いかに基づいて、圧縮機保護制御の制御態様を変更する第１起動制御を実行する。具体的には、制御部５０は、圧縮機１１の不具合が発生する可能性が高い場合、図３のグラフＧＸに示すような圧縮機保護制御である第１保護制御を実行する。一方、制御部５０は、圧縮機１１の不具合が発生する可能性が低い場合、図３のグラフＧＸに示す圧縮機保護制御（第１保護制御）よりも圧縮機１１の運転周波数を必要運転周波数ＦＮに速やかに上昇させる第２保護制御を実行する。
【００３７】
第２保護制御の詳細について説明する。
第２保護制御は、第１目標周波数ＦＡ１及び第２目標周波数ＦＡ２を有する。すなわち、第２保護制御の目標周波数の数は、第１保護制御の目標周波数の数よりも少ない。第１目標周波数ＦＡ１は、第１保護制御の第１目標周波数ＦＸ１よりも大きい。本実施形態の第１目標周波数ＦＡ１は、グラフＧＸの第２目標周波数ＦＸ２と等しい。第２目標周波数ＦＡ２は、第１保護制御の第２目標周波数ＦＸ２よりも大きい。本実施形態の第２目標周波数ＦＡ２は、グラフＧＸの第４目標周波数ＦＸ４よりも大きく、かつ必要運転周波数ＦＮよりも小さい。第１目標周波数ＦＡ１と、第２目標周波数ＦＡ２と第１目標周波数ＦＡ１との差（ＦＡ２−ＦＡ１）とは互いに等しい。第２目標周波数ＦＡ２と第１目標周波数ＦＡ１との差（ＦＡ２−ＦＡ１）は、必要運転周波数ＦＮと第２目標周波数ＦＡ２との差（ＦＮ−ＦＡ２）よりも大きい。圧縮機１１の運転周波数が第１目標周波数ＦＡ１を維持する第１期間ＴＡ１と、圧縮機１１の運転周波数が第２目標周波数ＦＡ２を維持する第２期間ＴＡ２とは互いに等しい。
【００３８】
制御部５０は、第２保護制御において、圧縮機１１の運転周波数を第１目標周波数ＦＡ１となるように制御した後、圧縮機１１の運転周波数が所定時間に亘り第１目標周波数ＦＡ１を維持するように制御する。そして制御部５０は、圧縮機１１の運転周波数が第１目標周波数ＦＡ１から第２目標周波数ＦＡ２となるように制御し、圧縮機１１の運転周波数が所定時間に亘り第２目標周波数ＦＡ２を維持するように制御した後、圧縮機１１の運転周波数が第２目標周波数ＦＡ２から必要運転周波数ＦＮになるように制御する。第２保護制御では、圧縮機１１の運転周波数が第１目標周波数ＦＡ１を維持するように制御する第１期間ＴＡ１は、第１保護制御における圧縮機１１の運転周波数が第１目標周波数ＦＸ１を維持するように制御する第１期間ＴＸ１よりも短い。また圧縮機１１の運転周波数が第２目標周波数ＦＡ２を維持するように制御する第２期間ＴＡ２は、第１保護制御における圧縮機１１の運転周波数が第２目標周波数ＦＸ２を維持するように制御する第２期間ＴＸ２よりも短い。
【００３９】
図３のグラフＧＡは、第２保護制御による圧縮機１１の運転周波数の推移を示している。グラフＧＡに示すとおり、制御部５０は、時刻ｔ１において圧縮機１１の運転周波数が第１目標周波数ＦＡ１となるように圧縮機１１を駆動させ、時刻ｔ１から時刻ｔ２までの期間（期間ＴＡ１）に亘り圧縮機１１の運転周波数が第１目標周波数ＦＡ１を維持するように圧縮機１１を駆動させる。そして制御部５０は、時刻ｔ２において圧縮機１１の運転周波数が第１目標周波数ＦＡ１から第２目標周波数ＦＡ２となるように圧縮機１１を駆動させ、時刻ｔ２から時刻ｔ４までの期間（期間ＴＡ２）に亘り圧縮機１１の運転周波数が第２目標周波数ＦＡ２を維持するように圧縮機１１を駆動させる。そして制御部５０は、時刻ｔ４において圧縮機１１の運転周波数を第２目標周波数ＦＡ２から必要運転周波数ＦＮとなるように圧縮機１１を駆動させる。このように、第２保護制御において圧縮機１１が起動してから圧縮機１１の運転周波数が必要運転周波数ＦＮに達するまでの期間ＴＡ（時刻ｔ１から時刻ｔ４までの期間）が、第１保護制御において圧縮機１１が起動してから圧縮機１１の運転周波数が必要運転周波数ＦＮに達するまでの期間ＴＸ（時刻ｔ１から時刻ｔ８までの期間）よりも短くなる。
【００４０】
次に、圧縮機１１の不具合が発生する可能性について説明する。
圧縮機１１の不具合が発生する可能性は、室内空気の温度（室内温度）及び室外空気の温度（室外温度）を用いて推定することができる。より詳細には、圧縮機１１の不具合が発生する可能性は、室内温度ＤＡ、外気温度ＤＯＡ、及び室内温度ＤＡと外気温度ＤＯＡとの温度差に基づいて推定することができる。本願発明者らが試験等を通じて、暖房運転の開始時における圧縮機１１の不具合が発生する可能性が低い温度条件と、冷房運転の開始時における圧縮機１１の不具合が発生する可能性が低い温度条件とを見出した。
【００４１】
ところで、暖房運転の開始時において、室内温度ＤＡが高い場合には速やかに室内温度ＤＡを上げる必要性が低い、すなわち暖房能力を高くする必要性が低い。また冷房運転の開始時において、室内温度ＤＡが低い場合には速やかに室内温度ＤＡを下げる必要性が低い、すなわち冷房能力を高くする必要性が低い。このように暖房能力又は冷房能力を高くする必要性が低い場合、圧縮機保護制御として第１保護制御を実行することにより、圧縮機１１の不具合をより確実に回避することができる。
【００４２】
図４は、本願発明者らが、室内温度ＤＡ、外気温度ＤＯＡ、及び室内温度ＤＡと外気温度ＤＯＡとの温度差を変更した場合における暖房運転の開始時における圧縮機保護制御の第２保護制御を実行したときに圧縮機１１に不具合が発生するか否かを試験した結果の一例である。図４の縦軸は室内温度ＤＡを示し、横軸は外気温度ＤＯＡを示している。この温度マップにおける斜線は室内温度ＤＡと外気温度ＤＯＡとの温度差（ＤＡ−ＤＯＡ）である内外温度差を示している。図４の温度マップにおける網掛け部分は、暖房運転の開始時における圧縮機１１の不具合が発生する可能性が低く、暖房能力を高くする必要性が高い温度領域（以下、「温度領域ＲＬ」）の一例を示している。温度領域ＲＬは、室内温度ＤＡが２０℃以下、外気温度ＤＯＡが０℃以上、内外温度差Ｘ５以下の条件で囲まれた温度領域である。内外温度差Ｘ５の一例は、１０℃である。詳細には、外気温度ＤＯＡが０℃以上、かつ内外温度差が１０℃以下であれば、暖房運転の開始時における圧縮機保護制御の第２保護制御を実行したときに圧縮機１１に不具合が発生する可能性が低い。言い換えれば、外気温度ＤＯＡが０℃未満、又は内外温度差が１０℃よりも大きい場合、暖房運転の開始時における圧縮機保護制御の第２保護制御を実行したときに圧縮機１１に不具合が発生する可能性が高い。一方、室内温度ＤＡが２０℃よりも大きく、内外温度差が１０℃以下の場合には、暖房運転の開始時における圧縮機保護制御の第２保護制御を実行したときに圧縮機１１に不具合が発生する可能性が低いが、暖房能力を高くする必要がない。
【００４３】
また、本願発明者らは、図示はしないが、冷房運転についても暖房運転と同様に、室内温度ＤＡ、外気温度ＤＯＡ、及び室内温度ＤＡと外気温度ＤＯＡとの温度差を変更した場合における冷房運転の開始時における圧縮機保護制御の第２保護制御を実行したときに圧縮機１１に不具合が発生するか否かを試験した。このような試験に基づいて、冷房又は暖房運転の開始時における圧縮機１１の不具合が発生する可能性が低く、冷房又は暖房能力を高くする必要性が高い温度条件は以下のとおりである。このような冷房又は暖房運転における温度条件は、例えば図５における暖房運転におけるマップＭＰ１及び図６における冷房運転におけるマップＭＰ２として制御部５０に記憶されている。
【００４４】
〔暖房運転〕
（ａ１）室内温度ＤＡが第１判定温度ＤＡＸ１以下であること（ＤＡ≦ＤＡＸ１）。
（ａ２）外気温度ＤＯＡが第１温度範囲内であること（ＤＯＡＬ１≦ＤＯＡ≦ＤＯＡＨ１）。なお、ＤＯＡＬ１は第１温度範囲の下限値を示し、ＤＯＡＨ１は第１温度範囲の上限値を示す。
（ａ３）室内温度ＤＡと外気温度ＤＯＡとの温度差が第１判定温度差ＤＤＸ１以下であること（ＤＡ−ＤＯＡ≦ＤＤＸ）。
【００４５】
ここで、第１判定温度ＤＡＸ１は、暖房能力を高くする必要があるか否かを判定する室内温度の判定値である。第１判定温度ＤＡＸ１の一例は、１３℃である。第１温度範囲の下限値ＤＯＡＬ１は、暖房運転の運転開始時における圧縮機１１の不具合の発生の可能性が低いか否かを判定する外気温度の判定値である。下限値ＤＯＡＬ１の一例は、０℃である。第１温度範囲の上限値ＤＯＡＨ１は、暖房能力を高くする必要があるか否かを判定する外気温度の判定値である。上限値ＤＯＡＨ１の一例は、２４℃である。第１判定温度差ＤＤＸ１は、暖房運転の運転開始時における圧縮機１１の不具合の発生の可能性が低いか否かを判定する内外温度差の判定値である。第１判定温度差ＤＤＸ１の一例は、１０℃である。
【００４６】
〔冷房運転〕
（ｂ１）室内温度ＤＡが第２判定温度ＤＡＸ２以上であること（ＤＡ≧ＤＡＸ２）。
（ｂ２）外気温度ＤＯＡが第２温度範囲内であること（ＤＯＡＬ２≦ＤＯＡ≦ＤＯＡＨ２）。なお、ＤＯＡＬ２は第２温度範囲の下限値を示し、ＤＯＡＨ２は第２温度範囲の上限値を示す。
（ｂ３）室内温度ＤＡと外気温度ＤＯＡとの温度差が第２判定温度差ＤＤＸ２以下であること（ＤＡ−ＤＯＡ≦ＤＤＸ２）。
【００４７】
ここで、第２判定温度ＤＡＸ２は、冷房能力を高くする必要があるか否かを判定する室内温度の判定値である。第２判定温度ＤＡＸ２の一例は、２５℃である。第２温度範囲の下限値ＤＯＡＬ２は、冷房能力を高くする必要があるか否かを判定する外気温度の判定値である。下限値ＤＯＡＬ２の一例は、２５℃である。第２温度範囲の上限値ＤＯＡＨ２は、冷房運転の運転開始時における圧縮機１１の不具合の発生の可能性が低いか否かを判定する外気温度の判定値である。上限値ＤＯＡＨ２の一例は、４５℃である。第２判定温度差ＤＤＸ２は、冷房運転の運転開始時における圧縮機１１の不具合の発生の可能性が低いか否かを判定する内外温度差の判定値である。第２判定温度差ＤＤＸ２の一例は、−１０℃である。
【００４８】
制御部５０は、暖房運転の温度条件ａ１，ａ２，ａ３に基づいて、暖房運転の開始時における第１保護制御及び第２保護制御を選択するためにマップＭＰ１を用い、冷房運転の温度条件ｂ１，ｂ２，ｂ３に基づいて、冷房運転の開始時における第１保護制御及び第２保護制御を選択するためにマップＭＰ２を用いる。
【００４９】
マップＭＰ１の縦軸は室内温度ＤＡを示し、横軸は外気温度ＤＯＡを示す。またマップＭＰ１において傾斜した線は、内外温度差の境界条件を示している。マップＭＰ１において、温度条件ａ１，ａ２，ａ３の全てを満たす温度領域Ｒ１を網掛けにより示している。すなわち、温度領域Ｒ１が第２保護制御を選択する領域であり、温度領域Ｒ１以外の領域が第１保護制御を選択する領域である。
【００５０】
なお、マップＭＰ１の温度領域Ｒ１は、図４の温度領域ＲＬと同じ領域であってもよい。すなわち暖房運転の温度条件ａ１，ａ２，ａ３における第１判定温度ＤＡＸ１を２０℃とし、第１温度範囲の下限値ＤＯＡＬ１を０℃とし、上限値ＤＯＡＨ１を３０℃とし、第１判定温度差ＤＤＸ１を１０℃としてもよい。
【００５１】
マップＭＰ２の縦軸は室内温度ＤＡを示し、横軸は外気温度ＤＯＡを示す。またマップＭＰ２において傾斜した線は、内外温度差の境界条件を示している。マップＭＰ２において、温度条件ｂ１，ｂ２，ｂ３の全てを満たす温度領域Ｒ２を網掛けにより示している。すなわち、温度領域Ｒ２が第２保護制御を選択する領域であり、温度領域Ｒ２以外の領域が第１保護制御を選択する領域である。
【００５２】
制御部５０は、第１起動制御において、暖房運転の開始時にマップＭＰ１を用いて第１保護制御及び第２保護制御の一方を選択し、冷房運転の開始時にマップＭＰ２を用いて第１保護制御及び第２保護制御の一方を選択する。
【００５３】
図７を用いて、第１起動制御の処理手順について説明する。
制御部５０は、ステップＳ１１において暖房運転が指示されたか否かを判定する。ステップＳ１１の判定は、例えばリモートコントローラ５１からの暖房運転の指令を制御部５０が受信したか否かに基づいて行われる。制御部５０は、ステップＳ１１において暖房運転が指令されたと判定した場合（ステップＳ１１：ＹＥＳ）、ステップＳ１２においてマップＭＰ１を選択する。そして制御部５０は、ステップＳ１３において室内温度ＤＡ及び外気温度ＤＯＡにより規定される座標がマップＭＰ１における温度領域Ｒ１の範囲内か否かを判定する。制御部５０は、室内温度ＤＡ及び外気温度ＤＯＡにより規定される座標が温度領域Ｒ１の範囲内と判定した場合（ステップＳ１３：ＹＥＳ）、すなわち温度条件ａ１〜ａ３の全てを満たしたと判定した場合、ステップＳ１４において第２保護制御を選択する。一方、制御部５０は、室内温度ＤＡ及び外気温度ＤＯＡにより規定される座標が温度領域Ｒ１の範囲外と判定した場合（ステップＳ１３：ＮＯ）、すなわち温度条件ａ１〜ａ３の少なくとも１つを満たしていないと判定した場合、ステップＳ１５において第１保護制御を選択する。
【００５４】
また制御部５０は、ステップＳ１１において暖房運転が指令されていないと判定した場合（ステップＳ１１：ＮＯ）、ステップＳ１６において冷房運転が指令されたか否かを判定する。ステップＳ１６の判定は、例えばリモートコントローラ５１からの冷房運転の指令を制御部５０が受信したか否かに基づいて行われる。制御部５０は、ステップＳ１６において冷房運転が指令されたと判定した場合（ステップＳ１６：ＹＥＳ）、ステップＳ１７においてマップＭＰ２を選択する。そして制御部５０は、ステップＳ１８において室内温度ＤＡ及び外気温度ＤＯＡにより規定される座標がマップＭＰ２における温度領域Ｒ２の範囲内か否かを判定する。制御部５０は、室内温度ＤＡ及び外気温度ＤＯＡにより規定される座標が温度領域Ｒ２の範囲内と判定した場合（ステップＳ１８：ＹＥＳ）、すなわち温度条件ｂ１〜ｂ３の全てを満たしたと判定した場合、ステップＳ１４に移行する。すなわち制御部５０は、第２保護制御を選択する。一方、制御部５０は、室内温度ＤＡ及び外気温度ＤＯＡにより規定される座標が温度領域Ｒ２の範囲外と判定した場合（ステップＳ１８：ＮＯ）、すなわち温度条件ｂ１〜ｂ３の少なくとも１つを満たしていないと判定した場合、ステップＳ１９において第１保護制御を選択する。
【００５５】
なお、制御部５０は、ステップＳ１６において冷房運転が指令されていないと判定した場合、第１起動制御を終了する。この場合、暖房運転及び冷房運転以外の運転として例えば除湿運転が挙げられる。
【００５６】
本実施形態によれば、以下の効果が得られる。
（１−１）制御部５０は、冷房又は暖房運転時においてマップＭＰ１又はマップＭＰ２を用いて第１保護制御及び第２保護制御のいずれかを実行する。第２保護制御における圧縮機１１が起動してから圧縮機１１の運転周波数が必要運転周波数ＦＮに達するまでの時間は、第１保護制御においける圧縮機１１が起動してから圧縮機１１の運転周波数が必要運転周波数ＦＮに達するまでの時間よりも短い。この構成によれば、第２保護制御を実行することにより、圧縮機１１が起動してから圧縮機１１の運転周波数が必要運転周波数ＦＮに達するまでの時間が短くなる。これにより、冷房又は暖房運転の立ち上げを速くすることができる。その結果、冷房又は暖房運転を開始してから室内温度ＤＡが設定温度に達するまでの時間が短くすることができるため、暖房能力又は冷房能力を高めることができる。
【００５７】
（１−２）第２保護制御における第１目標周波数ＦＡ１は、第１保護制御における第１目標周波数ＦＸ１よりも大きく、第２保護制御における第２目標周波数ＦＡ２は、第１保護制御における第２目標周波数ＦＸ２よりも大きい。この構成によれば、第２保護制御において圧縮機１１が起動してから圧縮機１１の運転周波数が必要運転周波数ＦＮに達するまでに設定される目標周波数の数が第１保護制御において圧縮機１１が起動してから圧縮機１１の運転周波数が必要運転周波数ＦＮに達するまでに設定される目標周波数の数よりも少なくなる。したがって、第２保護制御によって圧縮機１１が起動してから圧縮機１１の運転周波数が必要運転周波数ＦＮに達するまでの時間が短くなるため、冷房又は暖房運転の立ち上げを速くすることができる。
【００５８】
（１−３）第２保護制御における圧縮機１１の運転周波数が第１目標周波数ＦＡ１を維持するように制御する第１期間ＴＡ１は、第１保護制御における圧縮機１１の運転周波数が第１目標周波数ＦＸ１を維持するように制御する第１期間ＴＸ１よりも短い。第２保護制御における圧縮機１１の運転周波数が第２目標周波数ＦＡ２を維持するように制御する第２期間ＴＡ２は、第１保護制御における圧縮機１１の運転周波数が第２目標周波数ＦＸ２を維持するように制御する第２期間ＴＸ２よりも短い。この構成によれば、第２保護制御において圧縮機１１が起動してから圧縮機１１の運転周波数が必要運転周波数ＦＮに達するまでに設定される目標周波数の数が第１保護制御において圧縮機１１が起動してから圧縮機１１の運転周波数が必要運転周波数ＦＮに達するまでに設定される目標周波数の数よりも少なくなる。したがって、第２保護制御によって圧縮機１１が起動してから圧縮機１１の運転周波数が必要運転周波数ＦＮに達するまでの時間が短くなるため、冷房又は暖房運転の立ち上げを速くすることができる。
【００５９】
（１−４）制御部５０は、冷房運転時においてマップＭＰ１を用いて第１保護制御及び第２保護制御の一方を選択し、暖房運転時においてマップＭＰ２を用いて第１保護制御及び第２保護制御の一方を選択する。このように、冷房運転時における第２保護制御を実行する条件と、暖房運転時における第２保護制御を実行する条件とが互いに異なり、冷房運転時及び暖房運転時において個別に設定される。このため、制御部５０は、冷房運転時又は暖房運転時において第２保護制御を適切に実行することができる。
【００６０】
（１−５）マップＭＰ１及びマップＭＰ２における第２保護制御を実行するための条件は、室内温度ＤＡ、外気温度ＤＯＡ、及び内外温度差によって決められる。このように、空調装置１に標準的に備えられている室内温度センサ５２及び室外温度センサ５３を用いて、第２保護制御を実行するための条件が設定される。したがって、空調装置１の情報として取得し易い室内温度ＤＡ及び外気温度ＤＯＡを用いるため、すなわち第２保護制御を実行するための条件の設定のために専用のセンサを備える必要がないため、空調装置１のコストの増加を抑制することができる。
【００６１】
（第２実施形態）
図１及び図８を参照して、第２実施形態の空調装置１について説明する。本実施形態の空調装置１は、第１実施形態の空調装置１と比較して、第１起動制御の内容が異なる。なお、以下の説明において、空調装置１の構成要素は図１の空調装置１の構成要素を示す。
【００６２】
空調装置１の運転が停止している場合、室内空気の温度及び室外空気の温度のうちの温度の低いほうに向けて冷媒が凝縮して溜まり込む場合がある。室内空気の温度よりも室外空気の温度が低い場合、圧縮機１１内の潤滑油中に液冷媒が溶解して溜まり込んだり、室外熱交換器１３に液冷媒が溜まり込んだりする、所謂寝込み現象が生じる。この寝込み現象が発生した状態で暖房運転によって圧縮機１１を起動させる場合、圧縮機１１の運転周波数の上昇速度を速めると圧縮機１１にオイルフォーミングが発生し易くなり、圧縮機１１の故障の原因となる。また寝込み現象が発生した状態で冷房運転によって圧縮機１１を起動させる場合も暖房運転時と同様に圧縮機１１の運転周波数の上昇速度を速めると圧縮機１１にオイルフォーミングが発生し易くなる。
【００６３】
そこで、制御部５０は、寝込み現象に起因して冷房又は暖房運転の開始時に圧縮機１１が故障することを回避するため、冷媒排出起動運転を実行する。暖房運転の開始時における冷媒排出起動運転において、制御部５０は、暖房運転の運転開始に伴う圧縮機１１の起動時において四路切換弁１２を所定時間（例えば１分間）に亘り逆サイクル（冷房モード接続状態）に切り換えた状態で圧縮機１１を運転させる。これにより、室外熱交換器１３に溜まり込んだ液冷媒を室内熱交換器２１に流通させる。室内熱交換器２１の液冷媒は、冷媒排出起動運転時に室内熱交換器２１によって蒸発してガス冷媒となり、圧縮機１１に吸い込まれる。これにより、圧縮機１１のオイルフォーミングの発生を抑制できる。また冷房運転の開始時における冷媒排出起動運転において、制御部５０は、冷房運転の運転開始に伴う圧縮機１１の起動時における四路切換弁１２を所定時間（例えば１分間）に亘り逆サイクル（暖房モード接続状態）に切り換えた状態で圧縮機１１を運転させる。これにより、室内熱交換器２１に溜まり込んだ液冷媒を室外熱交換器１３に流通させる。室外熱交換器１３の液冷媒は、冷媒排出起動運転時に室外熱交換器１３によって蒸発してガス冷媒となり、圧縮機１１に吸い込まれる。これにより、圧縮機１１のオイルフォーミングの発生を抑制できる。このように、冷房又は暖房運転の開始時に冷媒排出起動運転が実行されると、圧縮機１１の不具合が発生する可能性が低くなる。
【００６４】
この点に鑑みて、本実施形態では、制御部５０は、冷媒排出起動運転が行われた場合、冷媒排出起動運転後に第２保護制御を選択する第２起動制御を実行する。その第２起動制御の処理手順について図８を用いて説明する。
【００６５】
制御部５０は、ステップＳ２１において冷媒排出起動運転が実行されたか否かを判定する。制御部５０は、ステップＳ２１において冷媒排出起動運転が実行されたと判定した場合（ステップＳ２１：ＹＥＳ）、ステップＳ２２において冷媒排出起動運転が修了したか否かを判定する。制御部５０は、ステップＳ２２において冷媒排出起動運転が終了したと判定した場合（ステップＳ２２：ＹＥＳ）、ステップＳ２３において第２保護制御を選択する。一方、制御部５０は、ステップＳ２２において冷媒排出起動運転が終了していないと判定した場合（ステップＳ２２：ＮＯ）、再びステップＳ２２の判定に移行する。
【００６６】
一方、制御部５０は、ステップＳ２１において冷媒排出起動運転が実行されていないと判定した場合（ステップＳ２１：ＮＯ）、ステップＳ２４において第１起動制御に移行する。そして制御部５０は、第１起動制御に基づいて第１保護制御及び第２保護制御の一方を選択する。
【００６７】
本実施形態によれば、以下の効果が得られる。
（２−１）制御部５０は、冷媒排出起動運転を実行した場合、第２保護制御を実行する。冷媒排出起動運転終了後では、圧縮機１１の不具合が発生する可能性が低くなる。このため、冷媒排出起動運転後に第２保護制御を実行することにより、冷媒排出起動運転後、速やかに圧縮機１１の運転周波数を必要運転周波数ＦＮに達することができる。したがって、冷房又は暖房運転の立ち上げを速くすることができる。
【００６８】
（変形例）
上記各実施形態に関する説明は、本発明に従う空調装置が取り得る形態の例示であり、その形態を制限することを意図していない。本発明に従う空調装置は、上記各実施形態以外に例えば以下に示される変形例、及び相互に矛盾しない少なくとも２つの変形例が組み合せられた形態を取り得る。
【００６９】
・上記各実施形態において、第２保護制御における圧縮機１１の運転周波数を必要運転周波数ＦＮに上昇させるときの圧縮機１１の制御は、第１保護制御における圧縮機１１の運転周波数を必要運転周波数ＦＮに達するまでの時間よりも短くなる条件のもと、任意に変更可能である。第２保護制御は例えば次の（Ａ）〜（Ｆ）のように変更することができる。
（Ａ）第１目標周波数ＦＡ１及び第２目標周波数ＦＡ２は任意に変更可能である。例えば第１目標周波数ＦＡ１は第２目標周波数ＦＸ２と異なる値であってもよい。一例では、第１目標周波数ＦＡ１が第２目標周波数ＦＸ２よりも大きく、かつ第３目標周波数ＦＸ３よりも小さい値であってもよい。また例えば第２目標周波数ＦＡ２は第４目標周波数ＦＸ４と等しくてもよい。
（Ｂ）圧縮機１１が第１目標周波数ＦＡ１を維持する第１期間ＴＡ１及び第２目標周波数ＦＡ２を維持する第２期間ＴＡ２は、第１保護制御の第１〜第４期間ＴＸ１〜ＴＸ４と等しい、もしくは第１〜第４期間ＴＸ１〜ＴＸ４よりも長くてもよい。
（Ｃ）圧縮機１１が第１目標周波数ＦＡ１を維持する第１期間ＴＡ１及び第２目標周波数ＦＡ２を維持する第２期間ＴＡ２は任意に変更可能である。例えば第１期間ＴＡ１と第２期間ＴＡ２とは互いに異なってもよい。すなわち、第１期間ＴＡ１及び第２期間ＴＡ２は個別に設定可能である。
（Ｄ）第２保護制御における目標周波数の数は２つに限られず、任意に変更可能である。すなわち、第２保護制御における目標周波数の数は１つ又は３つ以上であってもよい。
（Ｅ）上記（Ａ）〜（Ｄ）の内容を互いに組み合せてもよい。
（Ｆ）第２保護制御の開始時において圧縮機１１の運転周波数を必要運転周波数ＦＮに設定してもよい。すなわち第１目標周波数ＦＡ１等を省略してもよい。
【００７０】
・上記各実施形態において、第１保護制御における圧縮機１１の運転周波数を必要運転周波数ＦＮに上昇させるときの圧縮機１１の制御を例えば次のように変更してもよい。
（Ｇ）第１〜第４目標周波数ＦＸ１〜ＦＸ４のそれぞれは任意に変更可能である。例えば第２目標周波数ＦＸ２と第１目標周波数ＦＸ１との差と、第３目標周波数ＦＸ３と第２目標周波数ＦＸ２との差とは互いに異なってもよい。第４目標周波数ＦＸ４と第３目標周波数ＦＸ３との差と、第３目標周波数ＦＸ３と第２目標周波数ＦＸ２との差とは互いに異なってもよい。
（Ｈ）圧縮機１１が第１〜第４目標周波数ＦＸ１〜ＦＸ４のそれぞれを維持する期間である第１〜第４期間ＴＸ１〜ＴＸ４のそれぞれは任意に変更可能である。例えば、第１〜第４期間ＴＸ１〜ＴＸ４のうちの一部が第１〜第４期間ＴＸ１〜ＴＸ４のうちの残りと異なってもよい。
（Ｉ）第１保護制御における目標周波数の数は４つに限られず、任意に変更可能である。すなわち、第１保護制御における目標周波数の数は、３つ又は５つ以上であってもよい。
【００７１】
・上記各実施形態において、圧縮機１１の吐出管の温度ＤＦと外気温度ＤＯＡとを第１保護制御及び第２保護制御を選択するための条件に追加してもよい。
（ｃ１）吐出管の温度ＤＦが温度閾値ＤＦＸ以上であること（ＤＦ≧ＤＦＸ）。
（ｃ２）外気温度ＤＯＡが判定温度閾値ＤＯＡＹ以上であること（ＤＯＡ≧ＤＯＡＹ）。
（ｃ３）吐出管の温度ＤＦと外気温度ＤＯＡとの温度差が温度差閾値ＤＤＹ以上であること（ＤＦ−ＤＯＡ≧ＤＤＹ）。
【００７２】
なお、温度閾値ＤＦＸは、マップＭＰ１，ＭＰ２に移行するための条件を制限した閾値であり、試験等により予め設定される。温度閾値ＤＦＸの一例は、−３℃である。判定温度閾値ＤＯＡＹは、マップＭＰ１，ＭＰ２に移行するための条件を制限した判定値であり、試験等により予め設定される。判定温度閾値ＤＯＡＹの一例は、−１５℃である。温度差閾値ＤＤＹは、マップＭＰ１，ＭＰ２に移行するための条件を制限した閾値であり、試験等により予め設定される。
【００７３】
制御部５０には、第１保護制御及び第２保護制御を選択するための圧縮機１１の吐出管の温度ＤＦと外気温度ＤＯＡとの関係を示すマップＭＰ３が記憶されている。図９は、マップＭＰ３の一例を示している。マップＭＰ３の縦軸は圧縮機１１の吐出管の温度ＤＦを示し、横軸は外気温度ＤＯＡを示す。またマップＭＰ３において傾斜した線は、吐出管の温度ＤＦと外気温度ＤＯＡとの温度差の境界条件を示している。マップＭＰ３において、温度条件ｃ１，ｃ２，ｃ３の全てを満たす温度領域Ｒ３を白抜きにより示している。
【００７４】
制御部５０は、第１起動制御において、ステップＳ１１の判定又はステップＳ１６の判定の後、冷房又は暖房運転の指示があったと判定した場合に吐出管の温度ＤＦ及び外気温度ＤＯＡが温度領域Ｒ３内となるか否かの判定を行う。詳述すると、制御部５０は、圧縮機１１の吐出管の温度ＤＦと外気温度ＤＯＡとが温度領域Ｒ３内と判定した場合、すなわち温度条件ｃ１，ｃ２，ｃ３を満たすと判定した場合、暖房運転の運転開始時の場合、マップＭＰ１を用いて第１保護制御及び第２保護制御の一方を選択し、冷房運転の運転開始時の場合、マップＭＰ２を用いて第１保護制御及び第２保護制御の一方を選択する。一方、制御部５０は、吐出管の温度ＤＦ及び外気温度ＤＯＡが温度領域Ｒ３以外の領域であると判定した場合、すなわち温度条件ｃ１，ｃ２，ｃ３の少なくとも１つを満たさなかった場合、第１保護制御を実行する。このように、第２保護制御を実行するための条件として圧縮機１１の吐出管の温度ＤＦと外気温度ＤＯＡとの関係を追加することにより、冷房又は暖房運転時において第２保護制御をより適切に実行することができる。
【００７５】
・図９のマップＭＰ３において、外気温度ＤＯＡが判定温度閾値ＤＯＡＹ未満の温度領域Ｒ４の場合に圧縮機保護制御を第１保護制御及び第２保護制御とは異なる第３保護制御を実行してもよい。第３保護制御の一例として、制御部５０は、圧縮機１１の運転周波数が必要運転周波数ＦＮに達するまでの時間を、第１保護制御における圧縮機１１の運転周波数が必要運転周波数ＦＮに達するまでの時間（期間ＴＸ）よりも長くなるように圧縮機１１を制御する。
【００７６】
・図９のマップＭＰ３において、外気温度ＤＯＡが判定温度閾値ＤＯＡＹ以上かつ判定温度閾値ＤＯＡＹよりも高い判定温度閾値ＤＯＡＺ（ＤＯＡＺ＞ＤＯＡＹ）未満、かつ圧縮機１１の吐出管の温度ＤＦが温度閾値ＤＦＸ未満の温度領域Ｒ５において、圧縮機保護制御を第１保護制御及び第２保護制御とは異なる第４保護制御を実行してもよい。第４保護制御の一例として、制御部５０は、圧縮機１１の運転周波数が必要運転周波数ＦＮに達するまでの時間を、第１保護制御における圧縮機１１の運転周波数が必要運転周波数ＦＮに達するまでの時間（期間ＴＸ）よりも長く、第３保護制御における圧縮機１１の運転周波数が必要運転周波数ＦＮに達するまでの時間よりも短くなるように圧縮機１１を制御する。
【００７７】
・図９のマップＭＰ３において、外気温度ＤＯＡが判定温度閾値ＤＯＡＺ以上、かつ吐出管の温度ＤＦと外気温度ＤＯＡとの温度差が温度差閾値ＤＤＹ未満の温度領域Ｒ６において、圧縮機保護制御を第１保護制御及び第２保護制御とは異なる第５保護制御を実行してもよい。第５保護制御の一例として、制御部５０は、圧縮機１１の運転周波数が必要運転周波数ＦＮに達するまでの時間を、第１保護制御における圧縮機１１の運転周波数が必要運転周波数ＦＮに達するまでの時間（期間ＴＸ）よりも長く、第４保護制御における圧縮機１１の運転周波数が必要運転周波数ＦＮに達するまでの時間よりも短くなるように圧縮機１１を制御する。
【００７８】
・上記各実施形態において、第１起動制御における暖房運転時の温度条件ａ１及び冷房運転時の温度条件ｂ１の少なくとも一方を省略してもよい。
・上記各実施形態において、室外制御装置１６及び室内制御装置２３のいずれかを省略してもよい。例えば室内制御装置２３を省略した場合、室内温度センサ５２は室外制御装置１６と有線又は無線により接続される。また室内送風機２２は室外制御装置１６と有線により接続される。この場合、室外制御装置１６が制御部に相当する。
【符号の説明】
【００７９】
１…空調装置
１１…圧縮機
５０…制御部
ＦＮ…必要運転周波数
ＦＡ１…第２保護制御における第１目標周波数
ＦＡ２…第２保護制御における第２目標周波数
ＦＸ１…第１保護制御における第１目標周波数
ＦＸ２…第１保護制御における第２目標周波数
ＴＡ１…第２保護制御における第１期間
ＴＡ２…第２保護制御における第２期間
ＴＸ１…第１保護制御における第１期間
ＴＸ２…第２保護制御における第２期間
ＤＡ…室内温度（室内空気の温度）
ＤＯＡ…外気温度（室外空気の温度）
ＤＦ…圧縮機の吐出管の温度
ＤＡＸ１…第１判定温度（室温閾値）
ＤＡＸ２…第２判定温度（室温閾値）
ＤＤＸ１…第１判定温度差（温度差閾値）
ＤＤＸ２…第２判定温度差（温度差閾値）
【図１】
2019082279.tif 000003
【図２】
2019082279.tif 000004
【図３】
2019082279.tif 000005
【図４】
2019082279.tif 000006
【図５】
2019082279.tif 000007
【図６】
2019082279.tif 000008
【図７】
2019082279.tif 000009
【図８】
2019082279.tif 000010
【図９】
2019082279.tif 000011
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
運転周波数の変更が可能な圧縮機（１１）と、冷房又は暖房運転の開始時に前記圧縮機（１１）の運転周波数を必要運転周波数（ＦＮ）になるまで上昇させる圧縮機保護制御を実行する制御部（５０）とを備え、
前記圧縮機保護制御は、前記圧縮機（１１）の起動から前記必要運転周波数（ＦＮ）に達するまでの時間が相対的に長くなるように前記圧縮機（１１）の運転周波数を制御する第１保護制御と、前記圧縮機（１１）の起動から前記必要運転周波数（ＦＮ）に達するまでの時間が相対的に短くなるように前記圧縮機（１１）の運転周波数を制御する第２保護制御とを有し、
前記制御部（５０）は、前記冷房又は暖房運転の運転開始に伴う前記圧縮機（１１）の起動時に四路切換弁（１２）を所定時間に亘り逆サイクルに切り換えた状態で前記圧縮機（１１）を運転させた場合に前記第２保護制御を実行する
空調装置。
【請求項２】
前記制御部（５０）は、前記圧縮機保護制御において、第１目標周波数（ＦＡ１，ＦＸ１）と、前記第１目標周波数（ＦＡ１，ＦＸ１）よりも大きく前記必要運転周波数（ＦＮ）よりも小さい第２目標周波数（ＦＡ２，ＦＸ２）とを設定し、前記圧縮機（１１）の運転周波数を前記第１目標周波数（ＦＡ１，ＦＸ１）に第１期間（ＴＡ１，ＴＸ１）に亘り維持し、前記圧縮機（１１）の運転周波数を前記第２目標周波数（ＦＡ２，ＦＸ２）に第２期間（ＴＡ２，ＴＸ２）に亘り維持することにより、前記圧縮機（１１）の運転周波数を段階的に上昇させ、
前記第２保護制御における前記第１目標周波数（ＦＡ１）は、前記第１保護制御における前記第１目標周波数（ＦＸ１）よりも大きく、
前記第２保護制御における前記第２目標周波数（ＦＡ２）は、前記第１保護制御における前記第２目標周波数（ＦＸ２）よりも大きい
請求項１に記載の空調装置。
【請求項３】
前記制御部（５０）は、前記圧縮機保護制御において、第１目標周波数（ＦＡ１，ＦＸ１）と、前記第１目標周波数（ＦＡ１，ＦＸ１）よりも大きく前記必要運転周波数（ＦＮ）よりも小さい第２目標周波数（ＦＡ２，ＦＸ２）とを設定し、前記圧縮機（１１）の運転周波数を前記第１目標周波数（ＦＡ１，ＦＸ１）に第１期間（ＴＡ１，ＴＸ１）に亘り維持し、前記圧縮機（１１）の運転周波数を前記第２目標周波数（ＦＡ２，ＦＸ２）に第２期間（ＴＡ２，ＴＸ２）に亘り維持することにより、前記圧縮機（１１）の運転周波数を段階的に上昇させ、
前記第２保護制御における前記第１期間（ＴＡ１）は、前記第１保護制御における前記第１期間（ＴＸ１）よりも短く、
前記第２保護制御における前記第２期間（ＴＡ２）は、前記第２保護制御における前記第２期間（ＴＸ２）よりも短い
請求項１又は２に記載の空調装置。
【請求項４】
前記暖房運転時における前記所定条件と、前記冷房運転時における前記所定条件とが異なる
請求項１〜３のいずれか一項に記載の空調装置。
【請求項５】
前記所定条件は、室内空気の温度（ＤＡ）、室外空気の温度（ＤＯＡ）、及び前記室内空気の温度と前記室外空気の温度との温度差（ＤＡ−ＤＯＡ）を含む
請求項１〜４のいずれか一項に記載の空調装置。
【請求項６】
前記暖房運転時における前記所定条件は、前記室内空気の温度（ＤＡ）が室温閾値（ＤＡＸ１，ＤＡＸ２）以下であり、前記室外空気の温度（ＤＯＡ）が外気温度閾値（ＤＯＡＸ１，ＤＯＡＸ２）以上であり、前記室内空気の温度（ＤＡ）と前記室外空気の温度（ＤＯＡ）との温度差（ＤＡ−ＤＯＡ）が温度差閾値（ＤＤＸ１，ＤＤＸ２）以下である
請求項５に記載の空調装置。
【請求項７】
前記所定条件は、前記圧縮機の吐出管の温度（ＤＦ）及び室外空気の温度（ＤＯＡ）を含む
請求項１〜６のいずれか一項に記載の空調装置。
【手続補正２】
【補正対象書類名】明細書
【補正対象項目名】０００６
【補正方法】変更
【補正の内容】
【０００６】
この課題を解決する空調装置は、運転周波数の変更が可能な圧縮機と、冷房又は暖房運転の開始時に前記圧縮機の運転周波数を必要運転周波数になるまで上昇させる圧縮機保護制御を実行する制御部とを備え、前記圧縮機保護制御は、前記圧縮機の起動から前記必要運転周波数に達するまでの時間が相対的に長くなるように前記圧縮機の運転周波数を制御する第１保護制御と、前記圧縮機の起動から前記必要運転周波数に達するまでの時間が相対的に短くなるように前記圧縮機の運転周波数を制御する第２保護制御とを有し、前記制御部は、前記冷房又は暖房運転の運転開始に伴う前記圧縮機の起動時に四路切換弁を所定時間に亘り逆サイクルに切り換えた状態で前記圧縮機を運転させた場合に前記第２保護制御を実行する。
【手続補正３】
【補正対象書類名】明細書
【補正対象項目名】０００７
【補正方法】変更
【補正の内容】
【０００７】
この構成によれば、暖房運転の運転開始に伴う圧縮機の起動時に四路切換弁を所定時間に亘り逆サイクルに切り換えた状態で圧縮機を運転させた場合に第２保護制御を実行することにより、圧縮機が起動してから圧縮機の運転周波数が必要運転周波数に達するまでの時間が短くなる。これにより、冷房又は暖房運転を開始してから室内温度が設定温度に達するまでの時間を短くすることができ、冷房又は暖房運転の立ち上げを速くすることができる。